(57)【要約】【課題】系統電源ラインに流出する伝導ノイズを、簡易にして効果的に低減することのできる電力変換器システムを提供する。【解決手段】インバータ装置と、このインバータ装置の電源入力端子を系統電源の各相にそれぞれ接続すると共に該インバータ装置の入力アース端子を前記系統電源のアース部に接続する入力電源ケーブルと、前記インバータ装置の電源出力端子を負荷の電源端子にそれぞれ接続すると共に該インバータ装置の出力アース端子を前記負荷のアース端子に接続する出力電源ケーブルとを具備し、特に複数本の電力線およびアース線からなる前記入力電源ケーブルの前記アース線のインピーダンスを、前記各電力線のインピーダンスよりも低くしたことを特徴とする。【選択図】      図１
2014039376.tif 000002
【特許請求の範囲】
【請求項１】
インバータ装置と、このインバータ装置の電源入力端子を系統電源の各相にそれぞれ接続すると共に該インバータ装置の入力アース端子を前記系統電源のアース部に接続する入力電源ケーブルと、前記インバータ装置の電源出力端子を負荷の電源端子にそれぞれ接続すると共に該インバータ装置の出力アース端子を前記負荷のアース端子に接続する出力電源ケーブルとを具備し、
複数本の電力線およびアース線からなる前記入力電源ケーブルの前記アース線のインピーダンスを、前記各電力線のインピーダンスよりも低くしたことを特徴とする電力変換器システム。
【請求項２】
前記入力電源ケーブルは、単線、若しくは複数本の素線を撚り合わせた拠線を芯線とし、絶縁体で被覆した複数本の芯線を一括してシースにより絶縁被覆したものであって、
前記アース線の芯線は、前記各電力線の芯線の断面積よりも大きい断面積を有する請求項１に記載の電力変換器システム。
【請求項３】
前記入力電源ケーブルは、複数本の素線を撚り合わせた拠線を絶縁体で被覆した複数本の被覆拠線を、更にシースにより一括して絶縁被覆したものであって、
前記アース線は、前記各電力線の素線よりも細い素線を拠り合わせた拠線を前記各電力線の拠線の外径と略等しく、若しくは前記各電力線の拠線の外径よりも大きくしたものである請求項１に記載の電力変換器システム。
【請求項４】
前記入力電源ケーブルは、複数本の素線を撚り合わせた拠線を絶縁体で被覆した被覆拠線からなる複数本の電力線と、複数本の素線を袋状に編み込んだ編組線からなるアース線とを、更にシースにより一括して絶縁被覆したものであって、
前記アース線の編組線は、前記各電力線の拠線の外径と略等しい外径、若しくは前記各電力線の拠線の外径よりも大きい外径を有する請求項１に記載の電力変換器システム。
【発明の詳細な説明】
【技術分野】
【０００１】
本発明は、インバータ装置から大地アースを介して系統電源側に流出する高周波電流に起因する伝導ノイズを低減した電力変換器システムに関する。
【背景技術】
【０００２】
モータ（電動機）等の負荷を駆動する電力変換器システムは、例えば図５にその概略構成を示すように、系統電源（商用電源）１に入力電源ケーブル２を介して電源入力端子を接続し、電源出力端子に出力電源ケーブル３を介してモータ（負荷）４を接続したインバータ装置５を主体として構成される。このインバータ装置は、系統電源から入力される交流電力を一旦、直流電力に変換し、この直流電力をＭＯＳ-ＦＥＴやＩＧＢＴ等のスイッチング素子を用いてスイッチングすることで、任意の周波数で、任意の電圧の交流電力を生成して出力する電力変換器である。
【０００３】
尚、図５に示すインバータ装置５は、その電源入力部に、該インバータ装置５内で発生した高周波電流（ノイズ）の前記系統電源１側への流出を阻止する為のノイズフィルタ６を備えている。更にこの電力変換器システムは、前記系統電源１と前記入力電源ケーブル２との間に、前記インバータ装置５から前記系統電源１側に流出する伝導ノイズを計測する為の電源インピーダンス安定化回路網（ＬＩＳＮ）７を介装した例を示している。
【０００４】
ところでこの種の電力変換器システムにおいて前記インバータ装置５を運転すると、該インバータ装置５での高周波スイッチング動作に伴う出力電圧の変動に起因して、前記出力電源ケーブル３の電力線Ｕ,Ｖ,Ｗとアース線Ｅとの間の浮遊容量Ｃiと前記モータ４巻線と外周器の間の浮遊容量を通して高周波電流が流れる。この高周波電流はコモンモード電流と称され、その一部は前記インバータ装置５と前記モータ４との間で還流するが、それ以外は大地アースに流れ込み、大地漏れ電流Ｉeとなる。
【０００５】
ちなみに前記出力電源ケーブル３のアース線Ｅからインバータ装置５の筐体を介して、更に前記入力電源ケーブル２のアース線Ｅを介して系統電源１側に流れ出る高周波電流は、前記電源インピーダンス安定化回路網７における雑音端子電圧測定用抵抗７ａを介して該入力電源ケーブル２の電力線Ｒ,Ｓ,Ｔに回り込む。前述したノイズフィルタ６は、このような経路を辿る高周波電流を遮断することを目的として設けられている。これ故、前記出力電源ケーブル３のアース線Ｅからインバータ装置５の筐体を介して流れる高周波電流は、専ら、前記インバータ装置５におけるノイズフィルタ６と前記出力電源ケーブル３および前記モータＭとの間で還流する。
【０００６】
しかし前記高周波電流は、前記出力電源ケーブル３と大地アース間の浮遊容量Ｃcおよび前記モータ４の外囲器と大地アース間には浮遊容量Ｃmに起因して、前述したように大地アース側に流れ出ることが否めない。するとこの大地漏れ電流Ｉeは、例えば図６に示すように系統電源１側における前記電源インピーダンス安定化回路網７のアース端子に流れ込む。そしてこの大地漏れ電流Ｉeは、更に前記雑音端子電圧測定用抵抗７ａを介して入力電源ケーブル２の電力線Ｒ,Ｓ,Ｔに回り込むと共に、該入力電源ケーブル２のアース線Ｅに回り込む。しかし前述したノイズフィルタ６は、このようにして回り込む大地漏れ電流Ｉeに対しては、何ら有効に機能しない。
【０００７】
ちなみにこの種の大地漏れ電流Ｉeは、前記系統電源１側における伝導ノイズの発生要因となり、例えば前記系統電源１に接続された電子機器（図示せず）の誤動作を招来する恐れがある。
しかも前記大地漏れ電流Ｉeは、前記インバータ装置５のスイッチング周波数が高くなる程大きくなる。また前記インバータ装置５のスイッチング周波数は、当該インバータ装置５の低騒音化を目的として益々高周波数化する傾向にあり、これに伴って伝導ノイズの問題が大きくなってきている。
【０００８】
このような問題に対して、例えば特許文献１には、前記系統電源１と前記インバータ装置５とを接続する入力電源ケーブル２と該インバータ装置５の冷却器との間に接地コンデンサを介装すると共に、前記モータ４を取り囲んで設けたフレームと前記インバータ装置５の冷却器との間をケーブルで接続し、更に前記フレームと大地アースとの間にインピーダンス素子を介装することで、浮遊容量を通して大地アースに回り込む大地漏れ電流Ｉeを減らすことが提唱されている。
【先行技術文献】
【特許文献】
【０００９】
【特許文献１】特開２００８−２９５１２６号公報
【発明の概要】
【発明が解決しようとする課題】
【００１０】
しかしながら特許文献１に紹介される手法においては、モータ４をフレームで取り囲むことが必要なので、装置構成が大掛かりとなることが否めない。しかもモータ４を取り囲むフレームと大地アースとの間に、高周波帯域で高いインピーダンスを有する抵抗素子やインダクタンス素子、更には絶縁材料素子等のインピーダンス素子を介装するには、大地アース側に接続端子を設ける必要があり、その設置工事が大掛かりとなる等の新たな問題が生じる。
【００１１】
本発明はこのような事情を考慮してなされたもので、その目的は、大地アースを介して系統電源側に流出する伝導ノイズを、簡易にして効果的に低減することのできる電力変換器システムを提供することにある。
【課題を解決するための手段】
【００１２】
上述した目的を達成するべく本発明に係る電力変換器システムは、インバータ装置と、このインバータ装置の電源入力端子を系統電源の各相にそれぞれ接続すると共に該インバータ装置の入力アース端子を前記系統電源のアース部に接続する入力電源ケーブルと、前記インバータ装置の電源出力端子を負荷の電源端子にそれぞれ接続すると共に該インバータ装置の出力アース端子を前記負荷のアース端子に接続する出力電源ケーブルとを具備したものであって、
特に複数本の電力線およびアース線からなる前記入力電源ケーブルの前記アース線のインピーダンスを、前記各電力線のインピーダンスよりも低くしたことを特徴としている。
【００１３】
具体的には前記入力電源ケーブルとして、単線、若しくは複数本の素線を撚り合わせた拠線を芯線とし、絶縁体で被覆した複数本の芯線を一括してシースにより絶縁被覆したものを用いる場合には、前記アース線の芯線の断面積を、前記各電力線の芯線の断面積よりも大きくすることで、前記アース線のインピーダンスを前記各電力線のインピーダンスよりも低くすることが好ましい。
【００１４】
或いは前記入力電源ケーブルとして、複数本の素線を撚り合わせた拠線を絶縁体で被覆した複数本の被覆拠線を、更にシースにより一括して絶縁被覆したものを用いる場合には、前記アース線の拠線を、前記各電力線の素線よりも細い素線を拠り合わせて構成すると共に前記アース線の拠線の外径を前記各電力線の拠線の外径と略等しく、若しくは前記各電力線の拠線の外径よりも大きくし、これによって前記アース線のインピーダンスを前記各電力線のインピーダンスよりも低くすることが好ましい。
【００１５】
また前記入力電源ケーブルとして、複数本の素線を撚り合わせた拠線を絶縁体で被覆した被覆拠線からなる複数本の電力線と、複数本の素線を丸型に編み込んだ編組線からなるアース線とを、更にシースにより一括して絶縁被覆したものを用いる場合には、前記アース線の編組線を、前記各電力線の拠線の外径と略等しい外径、若しくは前記各電力線の拠線の外径よりも大きい外径を有する構成とし、これによって前記アース線のインピーダンスを前記各電力線のインピーダンスよりも低くすることが好ましい。
【発明の効果】
【００１６】
上記構成の電力変換器システムによれば、インバータ装置を系統電源に接続する入力電源ケーブルのアース線のインピーダンスが、該入力電源ケーブルの電力線のインピーダンスよりも低いので、出力電源ケーブルの浮遊容量と負荷の浮遊容量を通して大地アースに流れ出た高周波電流は、専ら、入力電源ケーブルのアース線を通して流れる。即ち、系統電源に電子機器が接続されても、前記大地漏れ電流の多くは、前記電子機器のアース端子から前記入力電源ケーブルのアース線を通して流れ、該電子機器の内部に流れ込む量が少なくなる。従って系統電源に接続された電子機器への前記大地漏れ電流に起因する伝導ノイズの影響を大きく低減することが可能となる。
【００１７】
従って特許文献１で提唱された手法に見られるように装置構成が大掛かりになると言う問題を招来することなく、入力電源ケーブルのアース線のインピーダンスを該入力電源ケーブルの電力線のインピーダンスよりも小さくすると言う簡易な構成を採用するだけで、インバータ装置から系統電源の電力線に流出する伝導ノイズを効果的に低減することができる。
【図面の簡単な説明】
【００１８】
【図１】本発明に係る電力変換器システムで用いられる入力電源ケーブルの一実施形態に係る構成例を示す図。
【図２】図１に示す入力電源ケーブルを用いた電力変換器システムの伝導ノイズ低減効果を説明する為の雑音特性図。
【図３】本発明の他の実施形態に係る入力電源ケーブルの構成例を示す図。
【図４】本発明に係る電力変換器システムに適用可能な入力電源ケーブルの他の例を示す図。
【図５】電力変換器システムの概略的な全体構成と、該電力変換器システムにおける還流ノイズを模式的に示す図。
【図６】電力変換器システムにおける大地漏れ電流に起因する伝導ノイズの発生要因を模式的に示す図。
【発明を実施するための形態】
【００１９】
以下、本発明の一実施形態に係る電力変換器システムについて説明する。
本発明に係る電力変換器システムは、基本的には図５および図６に示した電力変換器システムと同様に構成される。尚、ここでは系統電源１から給電される三相交流電力Ｒ,Ｓ,Ｔをインバータ装置５において電力変換した三相交流電力Ｕ,Ｖ,Ｗにて、その負荷であるモータ（三相交流モータ）４を駆動する例について説明するが、インバータ装置５にて単相交流をインバータ装置５にて電力変換して負荷（モータ４）を駆動する電力変換器システムにおいても同様に適用可能である。
【００２０】
本発明は、前記インバータ装置５の運転に伴う高周波漏れ電流に起因する前記系統電源１側において観測される伝導ノイズは、前記インバータ装置５から大地アースに流れ出た高周波漏れ電流（大地漏れ電流Ｉe）が前記入力電源ケーブル２の電力線Ｒ,Ｓ,Ｔを通って流れることに原因していることに着目している。そして本発明は、大地漏れ電流Ｉeの発生自体を抑制しなくても、前記大地漏れ電流Ｉeが前記入力電源ケーブル２の電力線Ｒ,Ｓ,Ｔを介して流れ難くすれば、これによって前記伝導ノイズの発生を低減し得るとの観点に立脚してなされている。
【００２１】
そこで本発明では、前記インバータ装置５の電源入力端子と系統電源１とを接続する入力電源ケーブル２のアース線Ｅのインピーダンスを、該入力電源ケーブル２の各相の電力線Ｒ,Ｓ,Ｔのインピーダンスよりも低く設定することで、前記大地漏れ電流Ｉeが前記入力電源ケーブル２の電力線Ｒ,Ｓ,Ｔに比較して該入力電源ケーブル２のアース線Ｅを介して流れ易くし、これによって前記入力電源ケーブル２の電力線Ｒ,Ｓ,Ｔを介して流れる大地漏れ電流Ｉeの量を低減することで前記伝導ノイズの発生を低減することを特徴としている。
【００２２】
ここで本発明に係る電力変換器システムにおいて生じる高周波電流について再度説明する。前記インバータ装置５を作動させると、前記出力電源ケーブル３における電力線３Ｕ,３Ｖ,３Ｗとアース線３Ｅとの間の浮遊容量Ｃiや、前記モータ４における巻線とその外囲器との間の浮遊容量に、前記インバータ装置５のスイッチング動作に伴って発生する高周波電圧が印加されるので、高周波漏れ電流が生じること自体は否めない。しかしこの高周波漏れ電流については、図５に示したように前記インバータ装置５の入力部側にノイズフィルタ６が設けられているので前記入力電源ケーブル２側に漏れ出る量は少なく、専ら、前記インバータ装置５を構成するスイッチング素子（図示せず）に還流する。
【００２３】
一方、前記出力電源ケーブル３と大地アース間、および前記モータ４の外囲器と大地アース間には浮遊容量Ｃc,Ｃmが存在するので、先に図６を参照して説明したように前記高周波漏れ電流は上記浮遊容量Ｃc,Ｃmを介して大地アース側に流れ出る。そして大地アース側に流れ出た高周波漏れ電流（大地漏れ電流Ｉe）は、図６に示したように前記ＬＩＳＮ７のアース端子から該ＬＩＳＮ７を通って前記入力電源ケーブル２に流れ込む。この際、前記ＬＩＳＮ７の雑音端子電圧測定抵抗７ａに流れる高周波漏れ電流が、伝導ノイズとして計測される。尚、図６においてはＳ相に流れる高周波漏れ電流だけを例示しているが、Ｒ相およびＴ相にも同様に高周波漏れ電流が流れることは言うまでもない。
【００２４】
この点、本発明に係る電力変換器システムは、前述したように前記入力電源ケーブル２のアース線Ｅのインピーダンスを、該入力電源ケーブル２の電力線Ｒ,Ｓ,Ｔのインピーダンスよりも低く設定している。すると前記ＬＩＳＮ７のアース端子から流れ込む高周波漏れ電流（大地漏れ電流Ｉe）は、該アース端子に接続された該ＬＩＳＮ７の筐体を含むアース電位を通って、インピーダンスの低い前記入力電源ケーブル２のアース線Ｅ側に多く流れ、インピーダンスの高い前記入力電源ケーブル２の電力線Ｒ,Ｓ,Ｔ側には流れ難くなる。従って前記入力電源ケーブル２の電力線に流れ出る大地漏れ電流Ｉeが少なくなり、これに伴って前記雑音端子電圧測定用抵抗７ａに流れる大地漏れ電流Ｉeが少なくなるので、その分、伝導ノイズの発生を低減することが可能となる。
【００２５】
ちなみにアース線Ｅのインピーダンスを、各電力線Ｒ,Ｓ,Ｔのインピーダンスよりも低く設定した入力電源ケーブル２は、例えば図１に示す構造を採用することによって実現される。この入力電源ケーブル２は、芯線１１を絶縁体１２で被覆した複数本の被覆単線１３を一括してシース１４により絶縁被覆した構造をなし、特にアース線Ｅとして用いる被覆単線１３の芯線１１の断面積を、各相の電力線Ｒ,Ｓ,Ｔとして用いる被覆単線１３の芯線１１の各断面積よりも広く設定したことを特徴としている。即ち、被覆単線１３の単位長さ当たりのインピーダンス（線路インピーダンス）は、専ら、芯線１１の断面積に略反比例して変化する。従って上述した如くアース線Ｅの芯線１１の断面積を電力線Ｒ,Ｓ,Ｔの芯線１１の断面積よりも大きくすることで、該アース線Ｅのインピーダンスを前記各電力線Ｒ,Ｓ,Ｔのインピーダンスよりもそれぞれ小さく設定することができる。
【００２６】
尚、前記入力電源ケーブル２として、複数本の素線を、例えば円形に撚り合わせた拠線を芯線１１とし、該芯線１１を絶縁体１２で被覆した複数本の被覆拠線を一括してシース１４により絶縁被覆したものを用いる場合には、前記アース線の素線の本数によって決定される拠線断面積を、前記各電力線の素線の本数によって決定される拠線断面積よりも大きくしても良い。換言すれば前記アース線の素線の本数を、前記各電力線の素線の本数よりも多くすることで、前記アース線のインピーダンスを前記各電力線のインピーダンスよりも低くすることが好ましい。
【００２７】
図２は、上述した構造の入力電源ケーブル２を用いて構築した電力変換器システムにおける前記系統電源１側での伝導ノイズ、具体的には前記ＬＩＳＮ７にて計測される伝導ノイズＡと、従来一般的な４芯の入力電源ケーブル２を用いて構築した電力変換器システムにおける前記系統電源１側での伝導ノイズＢとを対比して示す雑音特性図である。尚、図２は高周波雑音抑制対策ガイドラインに示される１５０ｋＨz〜３０ＭＨzの周波数帯域における伝導ノイズＡ,Ｂのレベルと、上記ガイドラインで要求されるノイズレベル限度値Ｈ（一例）との関係を示している。
【００２８】
この雑音特性図に示されるように、アース線Ｅのインピーダンスを前記各電力線Ｒ,Ｓ,Ｔのインピーダンスに比較して低くした入力電源ケーブル２を用いた場合、特に前記ノイズフィルタ６の効果を期待することが困難な１ＭＨz〜１.５ＭＨzの周波数帯域における伝導ノイズのレベルを効果的に低減することが確認できた。また前記１５０ｋＨz〜３０ＭＨzの周波数帯域の全域においても、その伝導ノイズのレベルを前記ノイズレベル限度値Ｈよりも低くし得ることが確認できた。
【００２９】
従って上記構造の電力変換器システムによれば、大地アースに漏れ出る高周波電流（大地漏れ電流Ｉe）自体を低減するものではないので、装置構成が大掛かりになると言う問題を招来することがない。しかも入力電源ケーブル２のアース線Ｅのインピーダンスを該入力電源ケーブル２の電力線Ｒ,Ｓ,Ｔのインピーダンスよりも小さくすると言う簡易な構成を採用するだけで、インバータ装置５から系統電源１の電力線Ｒ,Ｓ,Ｔに流出する伝導ノイズを効果的に低減することができる。従って本発明に係る電力変換器システムの実用的利点が絶大であり、既存の電力変換器システムにも容易に適用することができる等の効果が奏せられる。
【００３０】
ところでアース線Ｅのインピーダンスを前記電力線Ｒ,Ｓ,Ｔのインピーダンスよりも小さく設定した入力電源ケーブル２については、例えば図３(ａ)(ｂ)に示す構造として実現することもできる。図３(ａ)に示す入力電源ケーブル２は、複数本の素線を円形に撚り合わせた拠線２１を絶縁体２２で被覆した複数本の被覆拠線２３を一括してシース２４により絶縁被覆した構造を有する。そして特に前記アース線Ｅとして用いる拠線２１の素線として、前記各電力線Ｒ,Ｓ,Ｔとして用いる拠線２１の素線よりも細いものを用いると共に、前記アース線Ｅとして用いる拠線２１の外径と前記各電力線Ｒ,Ｓ,Ｔとして用いる拠線２１の外径と略等しくしたものである。尚、前記アース線Ｅとして用いる拠線２１の外径を、前記各電力線Ｒ,Ｓ,Ｔとして用いる拠線２１の外径よりも大きく設定することも勿論可能である。
【００３１】
ちなみに高周波電流は導体の表皮効果より該導体表面に集中して流れるので、導体の外径が大きい程、高周波に対するインピーダンスが高くなる。従って上述した拠線２１を用いた構造の入力電源ケーブル２によれば、前述した単線１１を用いた入力電源ケーブル２よりも前記アース線Ｅおよび電力線Ｒ,Ｓ,Ｔのインピーダンスを大幅に低くすることができる。更にはアース線Ｅとして用いる拠線２１の素線として、前記各電力線Ｒ,Ｓ,Ｔとして用いる拠線２１の素線よりも細いものを用いることで、前記アース線Ｅのインピーダンスを前記電力線Ｒ,Ｓ,Ｔのインピーダンスよりも容易に低くすることができる。従って図３(ａ)に示す構造の入力電源ケーブル２を用いることで、前述した実施形態と同様に系統電源１側での伝導ノイズを低減することが可能となる。
【００３２】
また図３(ｂ)に示す入力電源ケーブル２は、複数本の素線を円形に撚り合わせた拠線３１を絶縁体３２で被覆した被覆拠線３３からなる複数本の電力線Ｒ,Ｓ,Ｔと、複数本の素線を筒状に編み込んだ編組線３４からなるアース線Ｅとを、更にシース３５により一括して絶縁被覆した構造を有する。そして前記アース線Ｅをなす編組線３４の外径を前記各電力線Ｒ,Ｓ,Ｔの拠線３１の外径と略等しくし、或いは前記各電力線Ｒ,Ｓ,Ｔの拠線３１の外径よりも大きくしたことを特徴としている。このような構造の入力電源ケーブル２によれば、高周波に対する前記編組線３４のインピーダンスは、前述した拠線３１のインピーダンスよりも低いので、前述した実施形態と同様に系統電源１側での伝導ノイズを低減することが可能となる。
【００３３】
尚、前記入力電源ケーブル２として、例えば図４(ａ)に示すように複数本の素線を円形に撚り合わせた拠線４１を絶縁体４２で被覆した被覆拠線４３からなる複数本の電力線Ｒ,Ｓ,Ｔを一括して絶縁体４４で囲み、更に複数本の素線を筒状に編み込んだ編組線４５からなるアース線Ｅで囲んだ後、その周面をシース４６にて絶縁被覆した、いわゆる３芯シールド型のケーブルを用いることも可能である。但し、この場合、アース線Ｅとして用いる編組線４５のインピーダンスが、電力線Ｒ,Ｓ,Ｔをなす拠線４１のインピーダンスよりも低くなるように、前記編組線４５を構成する素線の数や、その編み込みを工夫しておくことは勿論のことである。
【００３４】
また、例えば図４(ｂ)に示すような、芯線１１を絶縁体１２で被覆した５本の被覆単線１３を一括してシース１４により絶縁被覆した５芯構造のケーブルを入力電源ケーブル２として用いることも可能である。この場合、３本の被覆単線１３を電力線Ｒ,Ｓ,Ｔとして用い、残りの２本の被覆単線１３をアース線Ｅとして並列に用いる。このようにしてもアース線Ｅのインピーダンスを、前記各電力線Ｒ,Ｓ,Ｔのインピーダンスよりも低くすることができるので、前述した各実施形態と同様な効果が奏せられる。
【００３５】
尚、本発明は上述した各実施形態に限定されるものではない。例えば前記出力電源ケーブル３として、前述した入力電源ケーブル２と同じ構造のものを採用するようにしても良い。また図３(ａ)(ｂ)および図４(ａ)(ｂ)にそれぞれ示した構造を適宜組み合わせた構造のケーブルを入力電源ケーブル２として用いることも可能である。具体的には、例えば５芯シールド構造のケーブルにおける３本の被覆拠線を電力線Ｒ,Ｓ,Ｔとし、残りの２本の被覆拠線と上記５本の被覆拠線を囲む編組線とをアース線Ｅとして用いることも可能である。更には６芯以上のケーブルを用いることも可能である。
【００３６】
また前述した拠線２１,３１,４１，および編組線３４，４５を構成する複数本の素線として、例えばその表面を絶縁処理した素線を用いることも可能である。このような構成の拠線２１,３１,４１，編組線３４，４５を用いれば、より高いノイズ低減効果を期待することができる。また拠線２１,３１,４１，編組線３４としては、必ずしも円形に拠り合せたものでなくても良いことは言うまでもない。その他、本発明はその要旨を逸脱しない範囲で種々変形して実施することができる。
【符号の説明】
【００３７】
１  系統電源
２  入力電源ケーブル
３  出力電源ケーブル
４  モータ（負荷）
５  インバータ装置
６  ノイズフィルタ
７  電源インピーダンス安定化回路網（ＬＩＳＮ）
１１  芯線
１２  絶縁体
１３  被覆単線
１４  シース
２１,３１,４１  拠線
２２,３２,４２,４４  絶縁体
２３,３３,４３  被覆拠線
２４,３５,４６  シース
３４,４５  編組線
【図１】
2014039376.tif 000003
【図３】
2014039376.tif 000004
【図４】
2014039376.tif 000005
【図２】
2014039376.tif 000006
【図５】
2014039376.tif 000007
【図６】
2014039376.tif 000008